【手続補正書】
【提出日】平成28年4月19日(2016.4.19)
【手続補正１】
【補正対象書類名】特許請求の範囲
【補正対象項目名】全文
【補正方法】変更
【補正の内容】
【特許請求の範囲】
【請求項１】
無線インターフェースにより端末ＵＥに接続し、Ｓ１インターフェースにより移動管理エンティティＭＭＥに接続し、制御面データを処理するように設置される制御面ノードと、
無線インターフェースにより前記ＵＥに接続し、ＳｓインターフェースによりサービスゲートウェイＳＧＷに接続し、ユーザ面データを処理するように設置されるユーザ面ノードとを有するネットワークアクセスシステム。
【請求項２】
前記制御面ノードと前記ユーザ面ノードとの間に接続し、前記制御面ノードが前記ユーザ面ノードと前記ＵＥにより前記制御面データを転送するように設置されるＸｕインターフェースをさらに含む請求項１に記載のシステム。
【請求項３】
Ｘｇインターフェースにより前記ユーザ面ノードに接続し、Ｓ３インターフェースにより前記ＳＧＷに接続し、前記ユーザ面データを転送するように設置されるユーザ面ゲートウェイをさらに含む請求項１又は２に記載のシステム。
【請求項４】
前記ユーザ面ゲートウェイは、さらに、
前記制御面ノードと前記ユーザ面ゲートウェイとの間のＸｃインターフェースのシグナリング接続を確立することと、前記ユーザ面ノードと前記ユーザ面ゲートウェイとの間のＸｇインターフェースのシグナリング接続を確立することと、前記ユーザ面ノードとユーザ面ゲートウェイとの間のＧＴＰ−Ｕチャネルの確立、削除、改正オペレーションを実行すること、前記ユーザ面ゲートウェイと前記ＳＧＷとの間の前記ＧＴＰ−Ｕチャネルの確立、削除および改正を制御することと
の少なくともいずれかの処理を実行する請求項３に記載のシステム。
【請求項５】
前記制御面ノードと前記ユーザ面ゲートウェイとの間に接続し、前記制御面ノードが前記ユーザ面ゲートウェイとＳＧＷとの間のチャネルの確立、削除、改正オペレーションに対して制御する、および／または前記制御面ノードが前記ユーザ面ゲートウェイとユーザ面ノードとの間のチャネルの確立、削除、および改正オペレーションに対して制御するＸｃインターフェースをさらに含む請求項３に記載のシステム。
【請求項６】
前記制御面ノードは、さらに、
前記制御面ノードと前記ユーザ面ノードとの間のＸｕインターフェースのシグナリング接続を確立することと、前記制御面ノードとユーザ面ゲートウェイとの間のＸｃインターフェースのシグナリング接続を確立することと、前記ユーザ面ノードと前記ユーザ面ゲートウェイとの間のユーザ面ＧＰＲＳトンネルプロトコルＧＴＰ−Ｕチャネルの確立、削除、改正を制御すること、前記ユーザ面ゲートウェイと前記ＳＧＷとの間の前記ＧＴＰ−Ｕチャネルの確立、削除および改正を制御すること、前記ユーザ面ノードとＵＥとの間の無線インターフェースの確立、削除、改正を制御することと
の少なくともいずれかの処理を実行する請求項１に記載のシステム。
【請求項７】
前記ユーザ面ノードは、
前記制御面ノードと前記ユーザ面ノードとの間のＸｕインターフェースのシグナリング接続を確立することと、前記ユーザ面ノードとユーザ面ゲートウェイとの間のＸｇインターフェースのシグナリング接続を確立することと、前記ユーザ面ゲートウェイが存在する場合、前記ユーザ面ノードと前記ユーザ面ゲートウェイとの間のＧＴＰ−Ｕチャネルの確立、削除、改正オペレーションを実行すること、前記ユーザ面ゲートウェイが存在しない場合、前記ユーザ面ノードとＳＧＷとの間の前記ＧＴＰ−Ｕチャネルの確立、削除および改正オペレーションを実行すること、前記制御面ノードと前記ＵＥとの間で伝送される制御面データを転送することと
の少なくともいずれかの処理を実行する請求項１に記載のシステム。
【請求項８】
制御面ノードが端末ＵＥアクセスネットワークの制御面データを処理し、前記制御面ノードが無線インターフェースにより端末ＵＥに接続し、Ｓ１インターフェースにより移動管理エンティティＭＭＥに接続する制御面リンクを確立することと、
１つまたは複数のユーザ面ノードが前記ＵＥアクセスネットワークのユーザ面データを処理し、前記ユーザ面ノードが無線インターフェースにより前記ＵＥに接続し、ＳｓインターフェースによりサービスゲートウェイＳＧＷに接続する１本または複数本のユーザ面リンクを確立することと、
前記制御面リンクにより前記制御面データを処理することと、
前記ユーザ面リンクにより前記ユーザ面データを処理すること、
とを含むネットワークアクセス方法。
【請求項９】
前記制御面ノードが前記ＵＥアクセスネットワークの前記制御面データを処理する前記制御面リンクを確立することは、
前記ＭＭＥに接続する前記制御面ノードと前記ＵＥに接続する１つ又は複数の前記ユーザ面ノードとの間で、前記制御面データを転送する１つ又は複数のＸｕインターフェースを含む請求項８に記載の方法。
【請求項１０】
前記ＳＧＷと、前記ＵＥに接続する１つまたは複数のユーザ面ノードとの間に、前記ユーザ面データを転送する１つまたは複数のユーザ面ゲートウェイが存在する場合、１つまたは複数のユーザ面ノードが前記ＵＥアクセスネットワークのユーザ面データを処理する１本または複数本のユーザ面リンクを確立することは、
前記制御面ノードと前記１つまたは複数のユーザ面ゲートウェイとの間で、前記制御面ノードが前記ユーザ面ゲートウェイに対して前記ユーザ面データを転送することを制御する１つまたは複数のＸｃインターフェースを確立する、および／または、
前記ユーザ面ノードと前記１つまたは複数のユーザ面ゲートウェイとの間で、前記ユーザ面データを転送するための１つまたは複数のＸｇインターフェースを確立することを含む請求項８に記載の方法。
【請求項１１】
前記制御面リンクにより前記制御面データを処理することは、
前記ＵＥがランダムにアクセスを実行している問題を報告することと、無線リンク制御ＲＬＣの達する回数閾値を報告することとの少なくともいずれかを含む前記ユーザ面ノードから前記制御面ノードまでの処理と、
データ伝達、パラメータ配置、パラメータ再配置、メディアアクセス制御層ＭＡＣリセット、無線リンク制御ＲＬＣとパケットデータアグリゲーションレイヤＰＤＣＰエンティティとの間のリンク確立、前記ＲＬＣと前記ＰＤＣＰエンティティ間のリンクリリース、前記ＲＬＣと前記ＰＤＣＰエンティティ間の再確立、検証一致性保護と完全性アルゴリズム、底層同期ステータス報告、セル脱活性化状態報告の少なくともいずれかを含む前記制御面ノードから前記ユーザ面ノードまでの処理とをさらに含む請求項８に記載の方法。
【請求項１２】
制御面ノードが端末ＵＥアクセスネットワークの制御面データを処理し、前記制御面ノードが無線インターフェースにより端末ＵＥに接続し、Ｓ１インターフェースにより移動管理エンティティＭＭＥに接続する制御面リンクを確立するように設置される第１の確立モジュールと、
１つまたは複数のユーザ面ノードが前記ＵＥアクセスネットワークのユーザ面データを処理し、前記ユーザ面ノードが無線インターフェースにより前記ＵＥに接続し、Ｓ１インターフェースによりサービスゲートウェイＳＧＷに接続する１本または複数本のユーザ面リンクを確立するように設置される第２の確立モジュールと、
前記制御面リンクにより前記制御面データを処理するように設置される第１の処理モジュールと、
前記ユーザ面リンクにより前記ユーザ面データを処理するように設置される第２の処理モジュールとを含むネットワークアクセスシステム。
【請求項１３】
無線インターフェースにより端末ＵＥに接続し、Ｓ１インターフェースによりコアネットワークに接続し、Ｘｘインターフェースにより１つまたは複数のマイクロセルに接続し、前記ＵＥに対して前記１つまたは複数のマイクロセルにより前記コアネットワークにアクセスするＸｘインターフェースと無線インターフェースの制御面データを処理するように設置されるマクロセルと、
無線インターフェースにより端末ＵＥに接続し、Ｓ２インターフェースによりコアネットワークに接続し、Ｘｘインターフェースにより前記マクロセルに接続し、前記ＵＥに対して前記１つまたは複数のマイクロセルにより前記コアネットワークにアクセスするＸｘインターフェースとＳ２インターフェースの制御面データとユーザ面データを処理するように設置される前記１つまたは複数のマイクロセルとを含むネットワークアクセスシステム。
【請求項１４】
前記Ｓ２インターフェースにより前記コアネットワークと前記マイクロセルに接続し、前記マイクロセルと前記コアネットワークとの間のユーザ面ＧＰＲＳトンネルプロトコルＧＴＰ−Ｕチャネルを制御するように設置されるマイクロセルゲートウェイさらに含む請求項１３に記載のシステム。
【請求項１５】
ＵＥが１つまたは複数のマイクロセルによりコアネットワークにアクセスする制御面データを処理し、マクロセルが無線インターフェースにより端末ＵＥに接続し、Ｘｘインターフェースにより、Ｓ２インターフェースを介し前記コアネットワークに接続する前記１つまたは複数のマイクロセルに接続する制御面リンクを確立することと、
前記ＵＥが前記１つまたは複数のマイクロセルにより前記コアネットワークにアクセスするユーザ面データを処理し、前記１つまたは複数のマイクロセルが無線インターフェースにより端末ＵＥに接続し、Ｓ２インターフェースにより前記コアネットワークに接続し、Ｘｘインターフェースインターフェースにより前記マクロセルに接続するユーザ面リンクを確立することと、
前記制御面リンクにより前記制御面データを処理することと、
前記ユーザ面リンクにより前記ユーザ面データを処理することとを含むネットワークアクセス方法を提供する。
【請求項１６】
前記ＵＥが前記１つまたは複数のマイクロセルにより前記コアネットワークにアクセスするユーザ面データを処理する前記マイクロセルと前記コアネットワーク間のＳ２インターフェユーザ面リンクを確立することは、
コアネットワークとマイクロセルゲートウェイとの間のユーザ面ＧＰＲＳトンネルプロトコルＧＴＰ−Ｕチャネルを確立することと、
マイクロセルゲートウェイと前記１つまたは複数のマイクロセルとの間のユーザ面ＧＰＲＳトンネルプロトコルＧＴＰ−Ｕチャネルを確立することを含む請求項１５に記載の方法。
【請求項１７】
前記制御面リンクにより前記制御面データを処理することは、
前記マクロセルと前記１つまたは複数のマイクロセルとの間のＸｘインターフェースのシグナリング接続を確立することと、前記１つまたは複数のマイクロセルと前記コアネットワークとの間のユーザ面ＧＰＲＳトンネルプロトコルＧＴＰ−Ｕチャネルの確立、削除、更新を制御することと、前記ＵＥと前記１つまたは複数のマイクロセル間の無線ベアラを確立することと、Ｘｘインターフェースによりマクロセルと前記１つまたは複数のマイクロセルとの間のＩＰパケットのフォワードを処理することと
の少なくともいずれかを含む請求項１５に記載の方法。
【請求項１８】
前記ユーザ面リンクにより前記ユーザ面データを処理することは、
マイクロセルゲートウェイと前記コアネットワークとの間のユーザ面ＧＰＲＳトンネルプロトコルＧＴＰ−Ｕチャネルを保持することと、
保持する前記ＧＴＰ−Ｕチャネルに基づいて前記ユーザ面データを処理することとを含む請求項１５に記載の方法。
【請求項１９】
ＵＥに対して、Ｓ２インターフェースによりコアネットワークに接続する１つまたは複数のマイクロセルにより前記コアネットワークにアクセスする制御面データを処理し、マクロセルが無線インターフェースにより端末ＵＥに接続し、Ｓ１インターフェースにより前記コアネットワークに接続し、Ｘｘインターフェースにより前記１つまたは複数のマイクロセルに接続する制御面リンクを確立するように設置される第３の確立モジュールと、
前記ＵＥに対して前記１つまたは複数のマイクロセルにより前記コアネットワークにアクセスするユーザ面データを処理し、１つまたは複数のマイクロセルが無線インターフェースにより端末ＵＥに接続し、Ｓ２インターフェースにより前記コアネットワークに接続し、Ｘｘインターフェースにより前記マクロセルに接続するユーザ面リンクを確立するように設置される第４の確立モジュールと、
前記制御面リンクにより前記制御面データを処理するように設置される第３の処理モジュールと、
前記ユーザ面リンクにより前記ユーザ面データを処理するように設置される第４の処理モジュールとを含むネットワークアクセスシステム。